(57)【要約】【課題】スイッチの誤操作を防止する。【解決手段】インバータ１０は、ダクトケース１２及び本体ケース１３と、本体ケース１３内に配置され、入力される直流電力を所定の交流電力に変換して出力するインバータ部５５と、インバータ部５５に接続された複数の断路スイッチ５２ａ，５２ｂと、インバータ部５５に接続され、オン位置とオフ位置に移動するレバー５４１，５６１を備えた開閉器５４，５６と、本体ケース１３に装着された際に断路スイッチ５２ａ，５２ｂを覆い、本体ケース１３に対し下方及び前方に移動されることで本体ケース１３から取り外し可能な保護カバー１９と、保護カバー１９に備えられ、保護カバー１９を上記２方向に移動して取り外す場合に保護カバー１９の下方の移動を規制するようにオン位置のレバー５４１に当接する突起１９１とを有する。【選択図】図３
2016032366.tif 000002
【特許請求の範囲】
【請求項１】
筐体と、
前記筐体内に配置され、入力される電力を所定の電力に変換して出力するように構成された電力変換部と、
前記電力変換部に接続された１以上の第１スイッチと、
前記電力変換部に接続され、第１位置と第２位置に移動する移動部を備えた１以上の第２スイッチと、
前記筐体に装着された際に前記第１スイッチを覆い、前記筐体に対し互いに異なる２方向に移動されることで前記筐体から取り外し可能なカバーと、
前記カバーに備えられ、前記カバーを前記２方向に移動して取り外す場合に前記カバーの前記２方向の移動のうちの少なくとも１方向の移動を規制するように前記第１位置の前記移動部に当接する当接部と、
を有することを特徴とする電力変換装置。
【請求項２】
前記カバーを前記筐体に対し移動不可能な固定状態又は移動可能な半固定状態で前記筐体に保持する保持部材をさらに備え、
前記当接部は、
前記カバーが前記半固定状態で保持された際に、前記カバーの前記２方向の移動のうちの少なくとも１方向の移動を規制するように前記第１位置の前記移動部に当接する
ことを特徴とする請求項１に記載の電力変換装置。
【請求項３】
前記当接部は、
前記カバーの板面方向の移動を規制するように前記第１位置の前記移動部に当接する
ことを特徴とする請求項２に記載の電力変換装置。
【請求項４】
前記当接部は、
前記移動部の移動方向に沿う方向の前記カバーの移動を規制するように前記第１位置の前記移動部に当接する
ことを特徴とする請求項３に記載の電力変換装置。
【請求項５】
前記筐体には、
前記保持部材であるネジがねじ込まれるネジ孔が形成され、
前記カバーには、
前記ネジ孔に対応する位置に、一端に前記ネジの頭部よりも大径の大径部を備えると共に他端に前記頭部よりも小径の小径部を備え、前記当接部により規制される移動方向に沿った長孔が形成される
ことを特徴とする請求項２に記載の電力変換装置。
【請求項６】
前記筐体は、
前記ネジ孔から取り外された前記ネジのネジ部に係合する係合部材を前記ネジ孔近傍に有する
ことを特徴とする請求項５に記載の電力変換装置。
【請求項７】
前記当接部は、
前記カバーの縁より前記移動部に向けて突出した突起である
ことを特徴とする請求項１乃至６のいずれか１項に記載の電力変換装置。
【請求項８】
前記第２スイッチは複数であり、
前記突起は、
複数の前記第２スイッチのうち少なくとも１つの前記第２スイッチの前記移動部に向かって突出して設けられる
ことを特徴とする請求項７に記載の電力変換装置。
【請求項９】
前記１以上の第１スイッチは、
前記電力変換部に電力を供給する外部装置に接続される複数の端子の各々と前記電力変換部との間に接続された複数の断路スイッチを含み、
前記１以上の第２スイッチは、
前記電力変換部の入力側に接続された入力側開閉器、及び、前記電力変換部の出力側に接続された出力側開閉器の少なくとも一方を含む
ことを特徴とする請求項１乃至８のいずれか１項に記載の電力変換装置。
【請求項１０】
前記カバーには、
前記入力側開閉器の前記移動部及び前記出力側開閉器の前記移動部を挿通させる略四角形状の開口が形成され、
前記当接部は、
前記開口の前記移動部の移動方向側の２辺のうち前記第１位置側の辺に対応する縁から前記入力側開閉器の前記移動部に向けて突出した突起である
ことを特徴とする請求項９に記載の電力変換装置。
【請求項１１】
前記筐体には、
前記カバーを固定するためのネジがねじ込まれる複数のネジ孔が形成され、
略四角板状の前記カバーには、
１辺の両側に位置する２つの角部近傍に、一端に前記ネジの頭部よりも大径の大径部を備えると共に他端に前記頭部よりも小径の小径部を備え、前記当接部により規制される移動方向に沿った長孔が形成され、他の２つの角部近傍に前記頭部よりも小径の長孔状の切り欠きが形成される
ことを特徴とする請求項１乃至１０のいずれか１項に記載の電力変換装置。
【請求項１２】
電力変換装置と、前記電力変換装置に電力を供給する外部装置と、を有する電力変換システムであって、
前記電力変換装置は、
筐体と、
前記筐体内に配置され、前記外部装置から入力される電力を所定の電力に変換して出力するように構成された電力変換部と、
前記電力変換部に接続された１以上の第１スイッチと、
前記電力変換部に接続され、第１位置と第２位置に移動する移動部を備えた１以上の第２スイッチと、
前記筐体に装着された際に前記第１スイッチを覆い、前記筐体に対し互いに異なる２方向に移動されることで前記筐体から取り外し可能なカバーと、
前記カバーに備えられ、前記カバーを前記２方向に移動して取り外す場合に前記カバーの前記２方向の移動のうちの少なくとも１方向の移動を規制するように前記第１位置の前記移動部に当接する当接部と、
を有することを特徴とする電力変換システム。
【発明の詳細な説明】
【技術分野】
【０００１】
開示の実施形態は、電力変換装置及び電力変換システムに関する。
【背景技術】
【０００２】
特許文献１には、集電開閉器と複数の入力開閉器とが内部に配置された太陽光発電システム用集電ボックスが記載されている。
【先行技術文献】
【特許文献】
【０００３】
【特許文献１】特開２０１０−２７２５５９号公報
【発明の概要】
【発明が解決しようとする課題】
【０００４】
入力開閉器を操作する際には、部品の破損防止や安全上の理由から、予め集電開閉器を開放しておくのが望ましい。しかしながら、上記従来技術では、開閉器の誤操作を防止する手段が何ら講じられていなかった。
【０００５】
本発明はこのような問題点に鑑みてなされたものであり、スイッチの誤操作を防止することができる電力変換装置及び電力変換システムを提供することを目的とする。
【課題を解決するための手段】
【０００６】
上記課題を解決するため、本発明の一の観点によれば、筐体と、前記筐体内に配置され、入力される電力を所定の電力に変換して出力するように構成された電力変換部と、前記電力変換部に接続された１以上の第１スイッチと、前記電力変換部に接続され、第１位置と第２位置に移動する移動部を備えた１以上の第２スイッチと、前記筐体に装着された際に前記第１スイッチを覆い、前記筐体に対し互いに異なる２方向に移動されることで前記筐体から取り外し可能なカバーと、前記カバーに備えられ、前記カバーを前記２方向に移動して取り外す場合に前記カバーの前記２方向の移動のうちの少なくとも１方向の移動を規制するように前記第１位置の前記移動部に当接する当接部と、を有する電力変換装置が適用される。
【０００７】
また、本発明の別の観点によれば、電力変換装置と、前記電力変換装置に電力を供給する外部装置と、を有する電力変換システムであって、前記電力変換装置は、筐体と、前記筐体内に配置され、前記外部装置から入力される電力を所定の電力に変換して出力するように構成された電力変換部と、前記電力変換部に接続された１以上の第１スイッチと、前記電力変換部に接続され、第１位置と第２位置に移動する移動部を備えた１以上の第２スイッチと、前記筐体に装着された際に前記第１スイッチを覆い、前記筐体に対し互いに異なる２方向に移動されることで前記筐体から取り外し可能なカバーと、前記カバーに備えられ、前記カバーを前記２方向に移動して取り外す場合に前記カバーの前記２方向の移動のうちの少なくとも１方向の移動を規制するように前記第１位置の前記移動部に当接する当接部と、を有する電力変換システムが適用される。
【０００８】
また、本発明の更に別の観点によれば、筐体と、前記筐体内に配置され、入力される電力を所定の電力に変換して出力するように構成された電力変換部と、前記電力変換部に接続された１以上の第１スイッチと、前記電力変換部に接続され、第１位置と第２位置に移動する移動部を備えた１以上の第２スイッチと、前記筐体に着脱され、前記筐体に装着された際に前記第１スイッチを覆うカバーと、前記第２スイッチの前記移動部の位置に応じて前記カバーの前記筐体からの取り外しを規制する手段と、を有する電力変換装置が適用される。
【発明の効果】
【０００９】
本発明の電力変換装置等によれば、スイッチの誤操作を防止することができる。
【図面の簡単な説明】
【００１０】
【図１】一実施形態の電力変換システムの全体構成の一例を表すシステム構成図である。
【図２】電力変換装置の回路構成の一例を表す回路構成図である。
【図３】本体ケースの内部構成の一例を表す平面図であり、入力側開閉器のレバーがオン位置にあって保護カバーの本体ケースからの取り外しが規制される状態に対応する。
【図４】本体ケースの内部構成の一例を表す平面図であり、入力側開閉器のレバーがオフ位置にあって保護カバーの本体ケースからの取り外しが許容される状態に対応する。
【図５】本体ケースの内部構成の一例を表す平面図であり、保護カバーが本体ケースに対し下方に移動した状態に対応する。
【図６】本体ケースの内部構成の一例を表す平面図であり、本体ケースから保護カバーが取り外された状態に対応する。
【図７】（ａ）はネジの形状の一例を表す側面図、（ｂ）は長孔の形状の一例を表す平面図である。
【図８】入力側開閉器及び出力側開閉器の両方に対し突起を設ける変形例における、本体ケースの内部構成の一例を表す平面図であり、入力側開閉器及び出力側開閉器の両方のレバーがオン位置にあって保護カバーの本体ケースからの取り外しが規制される状態に対応する。
【図９】出力側開閉器のみに対し突起を設ける変形例における、本体ケースの内部構成の一例を表す平面図であり、出力側開閉器のレバーがオン位置にあって保護カバーの本体ケースからの取り外しが規制される状態に対応する。
【図１０】突起がレバーの移動方向に垂直な方向の保護カバーの移動を規制する変形例における、本体ケースの内部構成の一例を表す平面図であり、入力側開閉器のレバーがオン位置にあって保護カバーの本体ケースからの取り外しが規制される状態に対応する。
【図１１】ネジを本体ケースからの取り外せないようにする変形例における、本体ケース１３のネジ孔近傍の構成を表す断面図である。
【発明を実施するための形態】
【００１１】
以下、一実施形態について図面を参照しつつ説明する。なお、本明細書及び図面において、実質的に同一の機能を有する構成要素については、原則として同一の符号で表し、これらの構成要素についての重複説明は、適宜省略する。また、図面中に注記された「前」「後」「左」「右」「上」「下」の方向は、本明細書中の説明において「前」「後」「左」「右」「上」「下」と記述される方向にそれぞれ対応する。但し、一実施形態の電力変換装置の各構成の位置関係は、「前」「後」「左」「右」「上」「下」の概念に限定されるものではない。
【００１２】
＜１．電力変換システムの全体構成＞
まず、図１を参照しつつ、本実施形態の電力変換システムの全体構成の一例について説明する。
【００１３】
図１に示すように、電力変換システム１は、電力変換装置の一例であるインバータ（ＤＣ−ＡＣコンバータ）１０と、インバータ１０に接続される、外部装置の一例である太陽電池アレイ２０とを有する。
【００１４】
太陽電池アレイ２０は、太陽光による光エネルギーを直接的に直流電力に変換してインバータ１０に供給する。この太陽電池アレイ２０は、相互接続された太陽電池パネル（太陽電池モジュール）２０ａが複数枚配列されて構成され、例えば建屋の屋上等に設置される。そして、太陽電池アレイ２０は、直列に接続された複数枚の太陽電池パネル２０ａのブロックをストリングとして、例えば７ストリングを有し、各ストリングごとにインバータ１０に接続され、各ストリングごとに直流電力をインバータ１０に供給する。なお、太陽電池アレイ２０のストリング数は、７に限定されるものではなく、他の数であってもよい。
【００１５】
なお、本実施形態では、外部装置として太陽電池アレイ２０を用いる場合について説明するが、外部装置としては、電力変換装置に電力を供給可能な装置であればよく、太陽電池アレイ２０以外の外部装置を用いてもよい。例えば、外部装置として、燃料電池等の電池や風力発電機等の発電機等を用いてもよい。
【００１６】
インバータ１０は、太陽電池アレイ２０から各ストリングごとに入力される直流電力を所定の交流電力（例えば単相交流電力）に変換して系統電源３０に出力する。また、インバータ１０には、電気器具４０の電源接続用に端子５７が設けられており、この端子５７から電気器具４０に接続することにより、インバータ１０から電気器具４０に交流電力を出力可能である。
【００１７】
このインバータ１０は、本体部１０Ａと、風胴部１０Ｂとを有する。本体部１０Ａは、複数の電子部品と、これら複数の電子部品を収納した本体ケース１３とを有する。風胴部１０Ｂは、風洞を形成する図示しないダクトと、ダクト等を収納したダクトケース１２とを有する。本実施形態では、ダクトケース１２及び本体ケース１３は、それぞれ略直方体状の形状を備えるが、他の形状であってもよい。なお、ダクトケース１２及び本体ケース１３は、筐体１１を構成する。また、筐体１１は、１つのケースで構成されてもよい。
【００１８】
ダクトケース１２内には、冷却風の吸気口（図示せず）及び排気口１７に接続された上記ダクト（図示せず）が形成されている。なお、符号１７で示す部分は、吸気口であってもよい。また、ダクトケース１２の外側四隅の近傍には、インバータ１０を壁面（図示せず）に取り付けるための取付ブラケット１８が設けられている。なお、図１以外の各図中では、取付ブラケット１８の図示が省略されている。
【００１９】
本体ケース１３には、閉じ状態とされた際に当該本体ケース１３内に配置された複数の電子部品を覆う、開閉可能なフェイスプレート１４が設けられている。フェイスプレート１４には、当該フェイスプレート１４の開閉操作を行うためのハンドル１５と、各種表示を行う表示部１６とが設けられている。
【００２０】
なお、本実施形態では、電力変換装置としてインバータ１０を用いる場合について説明するが、電力変換装置としては、入力される電力を所定の電力に変換可能な装置であればよく、インバータ１０以外の電力変換装置を用いてもよい。例えば、電力変換装置として、交流電力を直流電力に変換する装置（ＡＣ−ＤＣコンバータ）、直流電力を別の直流電力に変換する装置（ＤＣ−ＤＣコンバータ）、交流電力を別の交流電力に変換する装置（ＡＣ−ＡＣコンバータ）等を用いてもよい。
【００２１】
なお、上記で説明した電力変換システム１の全体構成は、あくまで一例であり、上記以外の構成であってもよい。
【００２２】
＜２．インバータの回路構成＞
次に、図２を参照しつつ、インバータ１０の回路構成の一例について説明する。
【００２３】
図２に示すように、インバータ１０は、Ｐ端子５１ａ及びＮ端子５１ｂ（以下適宜「端子５１ａ，５１ｂ」や「端子５１」と総称する。）と、第１スイッチの一例である断路スイッチ５２ａ，５２ｂ（以下適宜「断路スイッチ５２」と総称する。）と、ダイオード５３と、第２スイッチの一例である入力側開閉器５４と、電力変換部の一例であるインバータ部５５と、出力側開閉器５６と、上記端子５７とを有する。
【００２４】
端子５１ａ，５１ｂは、太陽電池アレイ２０のストリングの出力側に接続され、ストリングから出力される直流電力を入力する。本実施形態では、端子５１ａ，５１ｂは、例えば７つずつ設けられ、太陽電池アレイ２０の７ストリングの各々の出力側に接続され、７ストリングの各々から出力される直流電力を各ストリングごとに入力する。
【００２５】
断路スイッチ５２ａ，５２ｂは、端子５１ａ，５１ｂとインバータ部５５との間に接続され、端子５１ａ，５１ｂにより入力されたストリングからの直流電力の電路の開閉を行う。すなわち、断路スイッチ５２ａ，５２ｂは、オン状態のときに電路を閉じ、オフ状態のときに電路を開く。なお、断路スイッチ５２ａ，５２ｂは、電圧の開閉を行うことができるが、負荷電流の開閉を行うことができない（消弧能力を有していない）スイッチである。本実施形態では、断路スイッチ５２ａ，５２ｂは、端子５１ａ，５１ｂに対応して７つずつ設けられ、各ストリングごとに電路の開閉を行う。なお、断路スイッチ５２ａ，５２ｂは、同一のストリングに対応するもの同士が連動するように構成されているが、別々に動作するように構成されてもよい。
【００２６】
なお、本実施形態では、第１スイッチとして断路スイッチ５２を用いる場合について説明するが、第１スイッチとしては、電路の開閉を行うことが可能なスイッチであればよく、断路スイッチ５２以外のスイッチを用いてもよい。例えば、第１スイッチとして、負荷電流及び短絡電流の開閉を行うことができる（消弧能力を有する）スイッチ等を用いてもよい。また、本実施形態では、７ストリングの各々からの直流電力の電路の開閉を行うことができるように、断路スイッチ５２ａ，５２ｂを７つずつ設置した場合について説明するが、例えば外部装置からの電力の電路が１つである場合等には、第１スイッチを１つのみ設置すればよい。
【００２７】
ダイオード５３は、断路スイッチ５２ａ，５２ｂとインバータ部５５との間に接続され、電流の逆流を防止する。本実施形態では、ダイオード５３は、断路スイッチ５２ａ，５２ｂに対応して７つ設けられ、各ストリングごとに電流の逆流を防止する。
【００２８】
各端子５１ａ，５１ｂにより入力された７ストリングの各々からの直流電力は、各断路スイッチ５２ａ，５２ｂ及び各ダイオード５３を介した後、１つの直流電力として集電される。
【００２９】
入力側開閉器５４は、上記集電後の直流電力の電路におけるインバータ部５５の入力側に接続され、インバータ部５５に入力される上記集電後の直流電力の電路の開閉を行う。すなわち、入力側開閉器５４は、オン状態のときに電路を閉じ、オフ状態のときに電路を開く。入力側開閉器５４としては、負荷電流及び短絡電流の開閉を行うことができる（消弧能力を有する）スイッチが用いられるが、他のタイプのスイッチが用いられてもよい。
【００３０】
インバータ部５５は、上記本体ケース１３内に収納され、複数のＩＧＢＴ等の半導体素子を備える。なお、インバータ部５５は、上記ダクトケース１２内に収納されてもよい。このインバータ部５５は、入力される電力である上記集電後の直流電力を所定の電力である所定の交流電力（例えば単相交流電力）に変換して出力する。なお、本実施形態では、電力変換装置としてインバータ１０を用いるため、電力変換部としてインバータ部５５を用いるが、電力変換装置として他の装置を用いる場合には、当該他の装置の種別に応じた適切な電力変換部を用いればよい。
【００３１】
出力側開閉器５６は、インバータ部５５の出力側に接続され、インバータ部５５から出力される交流電力の電路の開閉を行う。すなわち、出力側開閉器５６は、オン状態のときに電路を閉じ、オフ状態のときに電路を開く。出力側開閉器５６としては、負荷電流及び短絡電流の開閉を行うことができる（消弧能力を有する）スイッチが用いられるが、他のタイプのスイッチが用いられてもよい。
【００３２】
なお、本実施形態では、入力側開閉器５４及び出力側開閉器５６（以下適宜「開閉器５４，５６」と総称する。）の２つの開閉器が設置される場合について説明するが、開閉器５４，５６の一方を省略し、１つの開閉器のみ設置してもよい。あるいは、３つ以上の開閉器を設置してもよい。
【００３３】
インバータ部５５から出力された交流電力は、出力側開閉器５６を介した後、系統電源３０に入力される。また、端子５７に電源プラグが差し込まれている場合には、インバータ部５５から出力された交流電力は、出力側開閉器５６を介した後、電気器具４０にも入力可能である。
【００３４】
なお、上記で説明したインバータ１０の回路構成は、あくまで一例であり、上記以外の回路構成であってもよい。
【００３５】
なお、上記複数の断路スイッチ５２ａ，５２ｂ、入力側開閉器５４、及び出力側開閉器５６は、それぞれ上記本体ケース１３内に収納されている。なお、複数の断路スイッチ５２ａ，５２ｂ、入力側開閉器５４、及び出力側開閉器５６の配置位置は、本体ケース１３内に限定されるものではなく、本体ケース１３の外側表面やダクトケース１２側であってもよい。
【００３６】
＜３．本体ケースの内部構成＞
次に、図３〜図６を参照しつつ、本体ケース１３の内部構成の一例について説明する。なお、図３〜図６中では、本体ケース１３からフェイスプレート１４が取り外された状態が図示されており、また本体ケース１３内に配置された複数の電子部品の図示が適宜省略されている。詳細は後述するが、図３は、入力側開閉器のレバーがオン位置にあって保護カバーの本体ケース１３からの取り外しが規制される状態の一例、図４は、入力側開閉器のレバーがオフ位置にあって保護カバーの本体ケース１３からの取り外しが許容される状態の一例に対応する。また、図５は、保護カバーが本体ケース１３に対し下方に移動した状態の一例、図６は、本体ケース１３から保護カバーが取り外された状態の一例に対応する。
【００３７】
図３〜図６に示すように、本体ケース１３内には、複数の上記断路スイッチ５２ａ，５２ｂと、上記入力側開閉器５４と、上記出力側開閉器５６と、カバーの一例である保護カバー１９とが、それぞれ収納されている。
【００３８】
（３−１．断路スイッチ）
複数の断路スイッチ５２ａ，５２ｂは、例えば１列に並べて構成したスイッチパッケージ５２０として、本体ケース１３内の左下部に配置されている。スイッチパッケージ５２０では、同一のストリングに対応する断路スイッチ５２ａ，５２ｂ同士が隣接している。なお、スイッチパッケージ５２０の本体ケース１３内の配置位置は、左下部に限定されるものではなく、他の位置であってもよい。また、複数の断路スイッチ５２ａ，５２ｂは、スイッチパッケージ５２０として配置されなくてもよく、別々に配置されてもよい。
【００３９】
このスイッチパッケージ５２０は、各断路スイッチ５２ごとに、動作状態の切替操作を行うための操作部であるレバー５２１を備える。レバー５２１は、対応する断路スイッチ５２をオン状態とするオン位置と、対応する断路スイッチ５２をオフ状態とするオフ位置とに、移動可能である。本実施形態では、レバー５２１のオン位置は上側、オフ位置は下側に位置しており、レバー５２１は、上下方向に移動可能である。つまり、レバー５２１の移動方向は、上下方向である。なお、レバー５２１のオン位置とオフ位置との位置関係を上記と反対にしてもよい。また、レバー５２１の移動方向は、上下方向に限定されるものではなく、左右方向等であってもよい。さらに、各断路スイッチ５２の操作部としては、レバー５２１に限定されるものではなく、押しボタン等であってもよい。
【００４０】
また、上述のように、複数の断路スイッチ５２ａ，５２ｂは、同一のストリングに対応するもの同士が連動するように構成されている。したがって、あるストリングに対応する一方の断路スイッチ５２（例えば断路スイッチ５２ａ）のレバー５２１が操作されると、当該断路スイッチ５２に隣接する他方の断路スイッチ５２（例えば断路スイッチ５２ｂ）のレバー５２１が連動して移動する。
【００４１】
（３−２．入力側開閉器及び出力側開閉器）
入力側開閉器５４は、本体ケース１３内におけるスイッチパッケージ５２０の右側に配置されている。なお、入力側開閉器５４の本体ケース１３内の配置位置は、スイッチパッケージ５２０の右側に限定されるものではなく、他の位置であってもよい。
【００４２】
この入力側開閉器５４は、動作状態の切替操作を行うための移動部の一例であるレバー５４１を備える。レバー５４１は、入力側開閉器５４をオン状態とする第１位置の一例であるオン位置と、入力側開閉器５４をオフ状態とする第２位置の一例であるオフ位置とに、例えば回動動作又はスライド動作により移動可能である。本実施形態では、レバー５４１のオン位置は上側、オフ位置は下側に位置しており、レバー５４１は、上下方向に移動可能である。つまり、レバー５４１の移動方向は、上下方向である。なお、レバー５４１のオン位置とオフ位置との位置関係を上記と反対にしてもよい。また、レバー５４１の移動方向は、上下方向に限定されるものではなく、左右方向等であってもよい。さらに、入力側開閉器５４の移動部としては、レバーに限定されるものではなく、押しボタン等であってもよい。
【００４３】
出力側開閉器５６は、本体ケース１３内における入力側開閉器５４の右側に（この例では隣接して）配置されている。なお、出力側開閉器５６の本体ケース１３内の配置位置は、入力側開閉器５４の右側に限定されるものではなく、他の位置であってもよい。
【００４４】
この出力側開閉器５６は、動作状態の切替操作を行うための移動部の一例であるレバー５６１を備える。レバー５６１は、出力側開閉器５６をオン状態とする第１位置の一例であるオン位置と、出力側開閉器５６をオフ状態とする第２位置の一例であるオフ位置とに、例えば回動動作又はスライド動作により移動可能である。本実施形態では、レバー５６１のオン位置は上側、オフ位置は下側に位置しており、レバー５６１は、上下方向に移動可能である。つまり、レバー５６１の移動方向は、上下方向である。なお、レバー５６１のオン位置とオフ位置との位置関係を上記と反対にしてもよい。また、レバー５６１の移動方向は、上下方向に限定されるものではなく、左右方向等であってもよい。さらに、出力側開閉器５６の移動部としては、レバーに限定されるものではなく、押しボタン等であってもよい。
【００４５】
（３−３．保護カバー）
保護カバー１９は、本体ケース１３に装着された際にスイッチパッケージ５２０を覆うように、本体ケース１３に取り外し可能に装着される。この保護カバー１９は、本体ケース１３に対し互いに異なる２方向に移動されることで、本体ケース１３から取り外し可能である。なお、保護カバー１９を本体ケース１３から取り外すための２つの移動方向は、特に限定されるものではない。但し、この例では、当該２つの移動方向が、下方及び前方であり、下方及び前方の順番である場合を例に挙げて説明する。なお、保護カバー１９の最初の移動方向である下方は、保護カバー１９の板面方向の１方向であると共に、開閉器５４，５６のレバー５４１，５６１の移動方向に沿う方向でもある。また、保護カバー１９の２番目の移動方向である前方は、保護カバー１９の板厚方向の１方向である。すなわち、保護カバー１９を本体ケース１３から取り外す場合には、保護カバー１９を本体ケース１３に対しまず下方に移動して、その後に前方に移動する。
【００４６】
保護カバー１９が本体ケース１３に装着された状態では、スイッチパッケージ５２０は露出しておらず、断路スイッチ５２のレバー５２１の操作は不可能となっている。保護カバー１９を本体ケース１３に対し上記２方向に移動することで取り外し、スイッチパッケージ５２０を露出させることにより、断路スイッチ５２のレバー５２１の操作が可能となる。
【００４７】
（３−３−１．保護カバーの全体構成及び保持構造）
本実施形態では、保護カバー１９は、例えば長手方向寸法が本体ケース１３の左右方向の内寸と略一致し、かつ短手方向寸法が例えば本体ケース１３の上下方向の内寸の半分よりも小さい略四角板状の形状を備える。なお、保護カバー１９の形状及び寸法は、このような略四角板状等に限定されるものではなく、本体ケース１３に装着された際にスイッチパッケージ５２０を覆うことが可能な形状及び寸法であればよい。この保護カバー１９には、開閉器５４，５６のレバー５４１，５６１を挿通させる略四角形状の開口１９０が形成されている。なお、保護カバー１９が本体ケース１３に装着された際にレバー５４１，５６１に対応する位置を覆わない場合等には、保護カバー１９には開口１９０が形成されなくてもよい。そして、保護カバー１９は、本体ケース１３に装着された際に、スイッチパッケージ５２０を覆い、かつ開口１９０にレバー５４１，５６１が挿通されるように、本体ケース１３の下部に取り外し可能に装着される。
【００４８】
つまり、保護カバー１９が本体ケース１３に装着された状態では、スイッチパッケージ５２０は露出しておらず、断路スイッチ５２のレバー５２１の操作は不可能となっているが、開閉器５４，５６のレバー５４１，５６１は露出しており、レバー５４１，５６１の操作は可能となっている。
【００４９】
また、本体ケース１３内の下部には、保護カバー１９を支持するための支持体が設けられている。なお、支持体の位置、形状、数等は、特に限定されるものではないが、この例では、支持体が次のような位置、形状、数等である場合を例に挙げて説明する。
【００５０】
図６に示すように、本体ケース１３内の下部には、例えば５つの支持体１３０ａ，１３０ｂ，１３０ｃ，１３０ｄ，１３０ｅが設けられ、各支持体１３０ａ〜１３０ｅの前面には、保持部材の一例であるネジ６０がねじ込まれるネジ孔（図示せず）が形成されている。
【００５１】
図７（ａ）に、ネジ６０の形状の一例を示す。図７（ａ）に示すように、ネジ６０は、直径Ｄ１の頭部６１と、Ｄ１より小径である略円柱状の軸部６２とを備える。軸部６２は、頭部６１と反対側の先端側に、ネジ山が刻まれたネジ部６２ａを備える。
【００５２】
支持体１３０ａは、本体ケース１３内におけるスイッチパッケージ５２０の上側の部分に、左右方向に沿って設けられ、ネジ孔は、支持体１３０ａの左端部、つまり本体ケース１３内の左辺の中央よりも下側の部分に形成されている。支持体１３０ｂは、本体ケース１３内における支持体１３０ａの右側で、かつ開閉器５４，５６のレバー５４１，５６１よりも上側の部分に、左右方向に沿って設けられ、ネジ孔は、支持体１３０ｂの略中央部、つまり本体ケース１３内の上下方向中央よりも下側で、かつ左右方向略中央の部分に形成されている。支持体１３０ｃは、本体ケース１３内の右辺の中央よりも下側の部分に設けられ、ネジ孔は、支持体１３０ｃの略中央部に形成されている。支持体１３０ｄは、本体ケース１３内の左辺の下端近傍に設けられ、ネジ孔は、支持体１３０ｄの略中央部に形成されている。支持体１３０ｅは、本体ケース１３内の右辺の下端近傍に設けられ、ネジ孔は、支持体１３０ｅの略中央部に形成されている。なお、ネジ孔の位置や数は、特に限定されるものではなく、上記以外の位置や数であってもよい。
【００５３】
そして、保護カバー１９には、上記５つのネジ孔の各々に対応する位置に、上記ネジ６０が挿通される長孔が形成されている。すなわち、ネジ６０は、保護カバー１９の各長孔に挿通されつつ本体ケース１３の各ネジ孔にねじ込まれることで、保護カバー１９を本体ケース１３に保持する。具体的には、ネジ６０は、締められた状態、つまりネジ孔に深くねじ込まれた状態では、保護カバー１９を、本体ケース１３に対し移動不可能な固定状態で、本体ケース１３に保持する。一方、ネジ６０は、緩められた状態、つまりネジ孔に浅くねじ込まれた状態では、保護カバー１９を、本体ケース１３に対し移動可能な半固定状態で、本体ケース１３に保持する。なお、ネジ６０がネジ孔から取り外されると、保護カバー１９は非固定状態となり、本体ケース１３から取り外し可能となる。
【００５４】
なお、各長孔の形状は、ネジ６０が保護カバー１９を固定状態又は半固定状態で本体ケース１３に保持することが可能な形状であれば特に限定されるものではないが、この例では、各長孔が次のような形状である場合について説明する。
【００５５】
すなわち、保護カバー１９の、支持体１３０ｄ，１３０ｅの各々のネジ孔に対応する位置、つまり左下角部１９ａ近傍及び右下角部１９ｂ近傍には、それぞれ上下方向に沿った長孔１９４ｄ，１９４ｅが形成されている。なお、左下角部１９ａ及び右下角部１９ｂは、１辺の両側に位置する２つの角部の一例に相当する。また、支持体１３０ｄ，１３０ｅの各々のネジ孔は、保護カバー１９の左下角部１９ａ近傍及び右下角部１９ｂ近傍以外の位置に対応していてもよい。
【００５６】
図７（ｂ）に、長孔１９４ｄ，１９４ｅの形状の一例を示す。図７（ｂ）に示すように、各長孔１９４ｄ，１９４ｅは、一端に上記ネジ６０の頭部６１の直径Ｄ１よりも大径である直径Ｄ２の大径部ＢＰを備えると共に、他端に直径Ｄ１よりも小径である直径Ｄ３の小径部ＳＰを備える、いわゆるダルマ孔となっている。
【００５７】
また、図５に示すように、保護カバー１９の、支持体１３０ａ，１３０ｂ，１３０ｃの各々のネジ孔に対応する位置、つまり左上角部１９ｃ近傍、上辺略中央部１９ｄ、及び右上角部１９ｅ近傍には、それぞれ上記ネジ６０の頭部６１の直径Ｄ１よりも小径の長孔状の切り欠き１９４ａ，１９４ｂ，１９４ｃが形成されている。なお、左上角部１９ｃ及び右上角部１９ｅは、他の２つの角部の一例に相当する。また、保護カバー１９の左上角部１９ｃ近傍、上辺略中央部１９ｄ、及び右上角部１９ｅ近傍に、切り欠き１９４ａ，１９４ｂ，１９４ｃに代えて、上記長孔１９５ａ，１９５ｂのようなダルマ孔等の他の形状の長孔を形成してもよい。さらに、支持体１３０ａ，１３０ｂ，１３０ｃの各々のネジ孔は、保護カバー１９の左上角部１９ｃ近傍、上辺略中央部１９ｄ、及び右上角部１９ｅ近傍以外の位置に対応していてもよい。
【００５８】
つまり、保護カバー１９を本体ケース１３から取り外さないときには、各ネジ６０を、頭部６１が保護カバー１９の各切り欠き１９４ａ〜１９４ｃ及び各長孔１９４ｄ，１９４ｅの小径部ＳＰに係合されるように挿通しつつ、本体ケース１３の各ネジ孔に深くねじ込み、保護カバー１９を上記固定状態で本体ケース１３に保持する。
【００５９】
そして、保護カバー１９を本体ケース１３から取り外すときには、各ネジ６０をネジ孔から緩め、保護カバー１９を上記半固定状態で本体ケース１３に保持した状態とし、その後に保護カバー１９を本体ケース１３に対し下方に移動する。これにより、保護カバー１９を、各ネジ６０の頭部６１が各切り欠き１９４ａ〜１９４ｃの外部及び各長孔１９４ｄ，１９４ｅの大径部ＢＰに配置された状態とする。その後、保護カバー１９を本体ケース１３に対し前方に移動して、保護カバー１９を本体ケース１３から取り外す。
【００６０】
なお、本実施形態では、保持部材としてネジ６０を用いる場合について説明するが、保持部材としては、保護カバー１９を固定状態又は半固定状態で本体ケース１３に保持可能な部材であればよく、ネジ６０以外の部材を用いてもよい。
【００６１】
（３−３−２．保護カバーの突起）
また、本実施形態では、保護カバー１９には、当接部の一例である突起１９１が備えられている。突起１９１は、上記入力側開閉器５４のレバー５４１の位置に応じて保護カバー１９の本体ケース１３からの取り外しを規制する。つまり、突起１９１は、カバーの筐体１１からの取り外しを規制する手段の一例に相当する。具体的には、突起１９１は、保護カバー１９を上記２方向に移動して取り外す場合に、保護カバー１９の２方向の移動のうち最初の下方への移動を規制するように、上記オン位置にある入力側開閉器５４のレバー５４１に当接する。つまり、保護カバー１９の突起１９１により規制される移動方向は、下方である。なお、突起１９１は、保護カバー１９の上記２方向の移動のうち２番目の前方への移動を規制するように、オン位置にあるレバー５４１に当接してもよい。また、突起１９１は、保護カバー１９の上記２方向の移動の両方を規制するように、オン位置にあるレバー５４１に当接してもよい。さらに、保護カバー１９には、突起１９１に代えて又は加えて、上記オン位置にある出力側開閉器５６のレバー５６１に当接する突起が備えられてもよい（詳細は後述。図８及び図９参照）。
【００６２】
上記突起１９１は、上記開口１９０の上下２辺のうち上辺に対応する縁１９２からレバー５４１に向けて突出している。つまり、開口１９０の上下２辺は、移動部の移動方向側の２辺の一例に相当し、開口１９０の上辺は、第１位置側の辺の一例に相当する。なお、レバー５４１のオン位置とオフ位置との関係が上記と反対である場合、つまりレバー５４１のオン位置が下側に位置する場合等には、突起１９１は、開口１９０の下辺に対応する縁１９３からレバー５４１に向けて突出していればよい。さらに、本実施形態では、レバー５４１が開口１９０に挿通されているため、突起１９１は、保護カバー１９の内縁（この例では開口１９０の縁１９２）からレバー５４１に向けて突出した構成であるが、レバー５４１が保護カバー１９の外側（例えば下側）に位置する場合等には、突起１９１は、保護カバー１９の外縁（例えば下縁）からレバー５４１に向けて突出していればよい。
【００６３】
なお、本実施形態では、当接部が突起である場合について説明するが、これに限定されるものではない。すなわち当接部は、保護カバー１９を２方向に移動して取り外す場合に、保護カバー１９の２方向の移動のうち少なくとも１方向の移動を規制するように、第１位置にある第２スイッチの移動部に当接する部分であればよく、例えば開口１９０の縁等であってもよい。
【００６４】
つまり、図３に示すような入力側開閉器５４のレバー５４１がオン位置にあるときには、突起１９１がレバー５４１に当接して保護カバー１９の下方への移動が規制されると共に、各ネジ６０の頭部６１が保護カバー１９の各切り欠き１９４ａ〜１９４ｃ及び各長孔１９４ｄ，１９４ｅの小径部ＳＰに係合して保護カバー１９の前方への移動が規制される。このため、保護カバー１９の取り外しは不可能となり、保護カバー１９に覆われた断路スイッチ５２のレバー５２１の操作は不可能となっている。
【００６５】
一方、図４に示すような入力側開閉器５４のレバー５４１がオフ位置にあるときには、保護カバー１９の下方への移動が許容される。したがって、このときに、保護カバー１９を本体ケース１３に対し下方に移動して、各ネジ６０の頭部６１が保護カバー１９の各切り欠き１９４ａ〜１９４ｃの外部及び各長孔１９４ｄ，１９４ｅの大径部ＢＰに配置された状態（図５に示す状態）とすることで、保護カバー１９の前方への移動が許容される。そして、このときに、保護カバー１９を本体ケース１３に対し前方に移動することで、保護カバー１９を本体ケース１３から取り外した状態（図６に示す状態）とすることができる。このときには、スイッチパッケージ５２０が露出しているため、断路スイッチ５２のレバー５２１の操作は可能となっている。
【００６６】
＜４．本実施形態による効果＞
以上説明したように、本実施形態のインバータ１０は、筐体１１（上記実施形態では本体ケース１３）に対し互いに異なる２方向に移動されることで筐体１１から取り外し可能な保護カバー１９を有しており、当該保護カバー１９を上記２方向に移動して取り外す場合に、当接部（上記実施形態では突起１９１）が保護カバー１９の２方向の移動のうちの少なくとも１方向の移動を規制するようにオン位置にある入力側開閉器５４のレバー５４１に当接する構成とする。これにより、入力側開閉器５４のレバー５４１がオン位置にある場合には、当接部がレバー５４１に当接し保護カバー１９の２方向の移動のうちの少なくとも１方向の移動を規制するので、保護カバー１９の取り外しが防止される。したがって、断路スイッチ５２の操作を禁止できる。一方、入力側開閉器５４のレバー５４１がオフ位置にある場合には、保護カバー１９の上記２方向の移動がいずれも規制されないので、保護カバー１９を取り外すことが可能となる。したがって、断路スイッチ５２の操作が可能となる。以上により、本実施形態のインバータ１０のように、断路スイッチ５２を操作する際に予め入力側開閉器５４のレバー５４１をオフ位置に操作する必要がある場合に、スイッチの誤操作を防止できる。その結果、部品の破損等を防止でき、且つ、安全性を向上できる。例えば、アークの発生による断路スイッチ５２の溶着や酸化皮膜の形成等を防止でき、且つ、操作者の感電や火傷等を防止して安全性を向上できる。
【００６７】
また、本実施形態では特に、インバータ１０が、保護カバー１９を筐体１１に対し移動不可能な固定状態又は移動可能な半固定状態で筐体１１に保持するネジ６０を備え、保護カバー１９が半固定状態で保持された際に、当接部（上記実施形態では突起１９１）が保護カバー１９の移動を規制するようにオン位置にあるレバー５４１に当接する。これにより、レバー５４１をオフ位置にすることで、保護カバー１９を固定状態（ネジ６０を締めた状態）から非固定状態（ネジ６０をネジ孔から取り外した状態）とすることなく、半固定状態（ネジ６０を緩めた状態）とした上で着脱することができる。すなわち、ネジ６０をネジ孔から取り外すことなく、緩めるだけで保護カバー１９を着脱できるので、保護カバー１９の着脱作業性を向上できる。
【００６８】
また、本実施形態では特に、当接部（上記実施形態では突起１９１）が保護カバー１９の板面方向の移動を規制する。これにより、次のような効果を得る。つまり、仮に当接部が保護カバー１９の板厚方向（例えば前方）の移動を規制する場合、当接部がレバー５４１に当接した際に保護カバー１９が傾く等、移動の規制が不安定となる可能性がある。これに対し、当接部が保護カバー１９の板面方向の移動を規制する場合、当接部がレバー５４１に当接した際に本体カバー１３との係合によって保護カバー１９の傾き等は防止され、安定して移動を規制できる。したがって、保護カバー１９の取り外し防止効果を高めることができる。
【００６９】
また、本実施形態では特に、当接部（上記実施形態では突起１９１）がレバー５４１の移動方向に沿う方向の保護カバー１９の移動を規制する。このように、レバー５４１の移動方向と保護カバー１９の移動方向とを一致させることで、当接部をレバー５４１の位置変化を効果的に利用した単純な構成とすることができる。また、突起１９１の設計の自由度を高めることができる。
【００７０】
また、本実施形態では特に、筐体１１にはネジ６０がねじ込まれるネジ孔が形成され、保護カバー１９には、ネジ孔に対応する位置に、一端にネジ６０の頭部６１よりも大径の大径部ＢＰを備えると共に他端に頭部６１よりも小径の小径部ＳＰを備え、当接部（上記実施形態では突起１９１）により規制される移動方向に沿った長孔１９４ｄ，１９４ｅが形成される。これにより、入力側開閉器５４のレバー５４１がオン位置にある場合には、当接部がレバー５４１に当接して保護カバー１９の板面方向の移動を規制すると共に、ネジ６０の頭部６１が保護カバー１９の長孔１９４ｄ，１９４ｅの小径部ＳＰに係合して保護カバー１９の板厚方向の移動を規制する。つまり、保護カバー１９は上記２方向の移動を共に規制されるので、取り外しが防止され、断路スイッチ５２の操作を禁止できる。一方、入力側開閉器５４のレバー５４１がオフ位置にある場合には、保護カバー１９の板面方向の移動が許容されるので、保護カバー１９の板面方向の移動によりネジ６０の頭部６１が長孔１９４ｄ，１９４ｅの大径部ＢＰに移動して保護カバー１９の板厚方向の移動が許容される。つまり、保護カバー１９は上記２方向の移動を共に許容されるので、本体ケース１３から取り外すことが可能となり、断路スイッチ５２の操作が可能となる。このような保護カバー１９の着脱を、ネジ６０をネジ孔から取り外すことなく緩めるだけで行うことができるので、保護カバー１９の着脱作業性を大幅に向上できる。また、ネジ６０を緩めてネジ孔に浅くねじ込まれた状態で着脱するのでネジ６０の紛失を防止できる。
【００７１】
また、本実施形態では特に、当接部を、保護カバー１９の縁よりレバー５４１に向けて突出した突起１９１とする。これにより、上記で説明したレバー５４１の移動方向と保護カバー１９の移動方向とが一致した構成だけでなく、例えばレバー５４１の移動方向と保護カバー１９の移動方向とが略垂直な構成も実現可能となる。したがって、設計の自由度を向上できる。
【００７２】
また、本実施形態では特に、突起１９１は、開閉器５４，５６のうち少なくとも１つの開閉器のレバー（上記の例では入力側開閉器５４のレバー５４１）に向かって突出して設けられる。これにより、開閉器５４，５６に対し選択的に突起を設けることで、例えば、上記で説明した入力側開閉器５４をオフにしなければ断路スイッチ５２を操作できない構成以外にも、出力側開閉器５６をオフにしなければ断路スイッチ５２を操作できない構成（後述の図９参照）、開閉器５４，５６の両方をオフにしなければ断路スイッチ５２を操作できない構成（後述の図８参照）等を実現できる。したがって、設計の自由度を大幅に向上できる。
【００７３】
また、本実施形態では特に、突起１９１が、保護カバー１９の開口１９０の上辺に対応する縁１９２から入力側開閉器５４のレバー５４１に向けて突出している。これにより、保護カバー１９の開口１９０に突起を形成するという簡単な構造で、保護カバー１９の下方の移動を規制するように入力側開閉器５４のレバー５４１に当接する当接部を実現できるので、コストを安価に抑えることができる。
【００７４】
また、本実施形態では特に、略四角板状の保護カバー１９には、左下角部１９ａ近傍及び右下角部１９ｂ近傍に、一端にネジ６０の頭部６１よりも大径の大径部ＢＰを備えると共に他端に頭部６１よりも小径の小径部ＳＰを備え、上下方向に沿った長孔１９４ｄ，１９４ｅが形成され、左上角部１９ｃ近傍及び右上角部１９ｅ近傍に、頭部６１よりも小径の長孔状の切り欠き１９４ａ，１９４ｃが形成される。これにより、保護カバー１９の少なくとも四隅をネジ６０で締結できるので、保護カバー１９を安定して本体ケース１３に固定できる。また、保護カバー１９に長孔１９４ｄ，１９４ｅや切り欠き１９４ａ，１９４ｃを形成するという簡単な構造で２方向の移動により本体ケース１３から取り外される保護カバー１９を実現できるので、コストを安価に抑えることができる。
【００７５】
＜５．変形例等＞
なお、実施形態は、上記内容に限られるものではなく、その趣旨及び技術的思想を逸脱しない範囲内で種々の変形が可能である。以下、そのような変形例を順を追って説明する。
【００７６】
（５−１．入力側開閉器及び出力側開閉器の両方に対し突起を設ける場合）
上記実施形態では、開閉器５４，５６のうち入力側開閉器５４のみに対し突起１９１を設けた場合を例に挙げて説明したが、開閉器５４，５６の両方に対し突起を設けてもよい。
【００７７】
図８に示すように、本変形例では、保護カバー１９には、当接部の一例として、前述の突起１９１に加えて、前述の開口１９０の上下２辺のうち上辺に対応する縁１９２から出力側開閉器５６のレバー５６１に向けて突出した突起１９５が備えられている。突起１９１，１９５は、開閉器５４，５６のレバー５４１，５６１の位置に応じて保護カバー１９の本体ケース１３からの取り外しを規制する。つまり、本変形例では、突起１９１，１９５が、カバーの筐体１１からの取り外しを規制する手段の一例に相当する。具体的には、突起１９５は、保護カバー１９を上記２方向に移動して取り外す場合に、保護カバー１９の下方への移動を規制するように、上記オン位置にある出力側開閉器５６のレバー５６１に当接する。
【００７８】
つまり、本変形例では、開閉器５４，５６のレバー５４１，５６１の少なくとも一方がオン位置にあるときには、突起１９１，１９５の少なくとも一方がレバー５４１，５６１の少なくとも一方に当接して保護カバー１９の下方への移動が規制される。一方、開閉器５４，５６のレバー５４１，５６１の両方がオフ位置にあるときには、保護カバー１９の下方への移動が許容される。
【００７９】
なお、本変形例では、開閉器５４，５６の両方が第２スイッチの一例に相当する。
【００８０】
本変形例によれば、上記実施形態と同様の効果を得ることができる。また、本変形例によれば、開閉器５４，５６の両方をオフにしなければ断路スイッチ５２を操作できないので、部品の破損等をより確実に防止でき、安全性をより向上できる。
【００８１】
（５−２．出力側開閉器のみに対し突起を設ける場合）
上記（５−１）の変形例では、開閉器５４，５６の両方に対し突起１９１，１９５を設けた場合を例に挙げて説明したが、出力側開閉器５６のみに対し突起１９５を設けてもよい。
【００８２】
図９に示すように、本変形例では、保護カバー１９には、当接部の一例として、前述の突起１９５が備えられている。つまり、本変形例では、前述の突起１９１を設けていない。突起１９５は、出力側開閉器５６のレバー５６１の位置に応じて保護カバー１９の本体ケース１３からの取り外しを規制する。つまり、本変形例では、突起１９５が、カバーの筐体１１からの取り外しを規制する手段の一例に相当する。
【００８３】
つまり、本変形例では、出力側開閉器５６のレバー５６１がオン位置にあるときには、突起１９５がレバー５６１に当接して保護カバー１９の下方への移動が規制される。一方、出力側開閉器５６のレバー５６１がオフ位置にあるときには、保護カバー１９の下方への移動が許容される。
【００８４】
なお、本変形例では、出力側開閉器５６が第２スイッチの一例に相当する。
【００８５】
本変形例によれば、上記実施形態と同様の効果を得ることができる。また、本変形例によれば、出力側開閉器５６をオフにしなければ断路スイッチ５２を操作できない構成を実現できる。
【００８６】
（５−３．突起がレバーの移動方向に垂直な方向の保護カバーの移動を規制する場合）
上記実施形態では、突起１９１が、保護カバー１９の、入力側開閉器５４のレバー５４１の移動方向に沿う方向である下方への移動を規制するように、オン位置にあるレバー５４１に当接する場合を例に挙げて説明した。しかし、突起は、保護カバー１９の、入力側開閉器５４のレバー５４１の移動方向に垂直な方向への移動を規制するように、オン位置にあるレバー５４１に当接してもよい。
【００８７】
図１０に示すように、本変形例では、入力側開閉器５４は、移動部であるレバー５４１′を備え、レバー５４１′のオン位置は左側、オフ位置は右側に位置しており、レバー５４１′は、左右方向に移動可能である。つまり、レバー５４１′の移動方向は、左右方向である。なお、レバー５４１′のオン位置とオフ位置との位置関係を上記と反対にしてもよい。
【００８８】
また、出力側開閉器５６は、移動部であるレバー５６１′を備え、レバー５６１′のオン位置は上側、オフ位置は下側に位置しており、レバー５６１′は、左右方向に移動可能である。つまり、レバー５６１′の移動方向は、左右方向である。なお、レバー５６１′のオン位置とオフ位置との位置関係を上記と反対にしてもよい。
【００８９】
そして、保護カバー１９の構成は、当接部として、前述の突起１９１に代えて突起１９１′を設けた以外、同等である。つまり、本変形例では、保護カバー１９の最初の移動方向である下方は、開閉器５４，５６のレバー５４１′，５６１′の移動方向に垂直な方向である。突起１９１′は、上記入力側開閉器５４のレバー５４１′の位置に応じて保護カバー１９の本体ケース１３からの取り外しを規制する。つまり、本変形例では、突起１９１′が、カバーの筐体１１からの取り外しを規制する手段に相当する。具体的には、突起１９１′は、保護カバー１９を前述の２方向に移動して取り外す場合に、保護カバー１９の２方向の移動のうち最初の下方への移動を規制するように、上記オン位置にある入力側開閉器５４のレバー５４１′に当接する。つまり、保護カバー１９の突起１９１′により規制される移動方向は、下方である。なお、保護カバー１９には、突起１９１′に代えて又は加えて、上記オン位置にある出力側開閉器５６のレバー５６１′に当接する突起が備えられてもよい。上記突起１９１′は、前述の開口１９０の上辺に対応する縁１９２からレバー５４１′に向けて突出している。
【００９０】
本変形例によれば、上記実施形態と同様の効果を得ることができる。
【００９１】
（５−４．ネジを本体ケースから取り外せない構成とする場合）
上記実施形態では、入力側開閉器５４のレバー５４１がオン位置にある場合、突起１９１により保護カバー１９の下方の移動が規制されるが、保護カバー１９を固定する全てのネジ６０を取り外した場合には、保護カバー１９を本体ケース１３から取り外すことが可能となる。したがって、入力側開閉器５４がオンであるにもかかわらず断路スイッチ５２を操作することが可能となり、スイッチの誤操作を招く可能性がある。本変形例は、このような問題点に鑑みて、本体ケース１３の各ネジ孔近傍に、各ネジ孔から取り外された各ネジ６０のネジ部６２ａに係合する係合部材を設けた場合の例である。
【００９２】
以下、図１１（ａ）（ｂ）を参照しつつ、本変形例における本体ケース１３のネジ孔近傍の構成について説明する。ここでは、本体ケース１３の５つのネジ孔のうち支持体１３０ａに形成されたネジ孔近傍の構成を代表に説明するが、他の支持体１３０ｂ〜１３０ｅに形成されたネジ孔近傍の構成もほぼ同様である。なお、図１１（ａ）は、ネジ６０がネジ孔にねじ込まれている状態、図１１（ｂ）は、ネジ６０がネジ孔から取り外された状態に対応する。
【００９３】
図１１（ａ）（ｂ）に示すように、本体ケース１３の支持体１３０ａに形成されたネジ孔Ｈ近傍、この例では支持体１３０ａの表面には、係合部材１３５が設けられている。係合部材１３５は、係合部１３５ａを備え、この係合部１３５ａにより、ネジ孔Ｈから取り外された状態のネジ６０のネジ部６２ａに係合することで、当該ネジ６０が本体ケース１３から離脱するのを防止することが可能である。なお、係合部材１３５の構成は、ネジ孔Ｈから取り外されたネジ６０のネジ部６２ａに係合可能な構成であればよく、図１１（ａ）（ｂ）に示すような構成に限定されるものではない。
【００９４】
本変形例によれば、ネジ６０がネジ孔Ｈから取り外されても、係合部材１３５がネジ部６２ａに係合することでネジ６０の本体ケース１３からの取り外しが防止される。これにより、スイッチの誤操作の防止効果をさらに高めることができる。また、ネジ６０の紛失を防止できる。
【００９５】
なお、以上の説明において、「垂直」「平行」「平面」等の記載がある場合には、当該記載は厳密な意味ではない。すなわち、それら「垂直」「平行」「平面」とは、設計上、製造上の公差、誤差が許容され、「実質的に垂直」「実質的に平行」「実質的に平面」という意味である。
【００９６】
また、以上の説明において、外観上の寸法や大きさが「同一」「等しい」「異なる」等の記載がある場合は、当該記載は厳密な意味ではない。すなわち、それら「同一」「等しい」「異なる」とは、設計上、製造上の公差、誤差が許容され、「実質的に同一」「実質的に等しい」「実質的に異なる」という意味である。
【００９７】
また、以上既に述べた以外にも、上記実施形態や各変形例による手法を適宜組み合わせて利用してもよい。
【００９８】
その他、一々例示はしないが、上記実施形態や各変形例は、その趣旨を逸脱しない範囲内において、種々の変更が加えられて実施されるものである。
【符号の説明】
【００９９】
１              電力変換システム
１１            筐体
１２            ダクトケース
１３            本体ケース
１０            インバータ（電力変換装置）
１９            保護カバー（カバー）
１９ａ          左下角部
１９ｂ          右下角部
１９ｃ          左上角部
１９ｅ          右上角部
２０            太陽電池アレイ（外部装置）
５１ａ          Ｐ端子（端子）
５１ｂ          Ｎ端子（端子）
５２ａ，ｂ      断路スイッチ（第１スイッチ）
５４            入力側開閉器（第２スイッチ）
５５            インバータ部（電力変換部）
５６            出力側開閉器（第２スイッチ）
６０            ネジ（保持部材）
６１            頭部
６２ａ          ネジ部
１３５          係合部材
１９０          開口
１９１          突起（当接部）
１９１′        突起（当接部）
１９２          縁
１９４ａ〜ｃ    切り欠き
１９４ｄ，ｅ    長孔
１９５          突起（当接部）
５４１          レバー（移動部）
５６１          レバー（移動部）
ＢＰ            大径部
Ｈ              ネジ孔
ＳＰ            小径部
【図１】
2016032366.tif 000003
【図２】
2016032366.tif 000004
【図３】
2016032366.tif 000005
【図４】
2016032366.tif 000006
【図５】
2016032366.tif 000007
【図６】
2016032366.tif 000008
【図７】
2016032366.tif 000009
【図８】
2016032366.tif 000010
【図９】
2016032366.tif 000011
【図１０】
2016032366.tif 000012
【図１１】
2016032366.tif 000013